(57)【特許請求の範囲】
【請求項１】
本体内に設けられた保持板に保持される熱交換器と、
両側面に突起部を有し、前記熱交換器の前面に配設されるプラズマユニットと、
前記プラズマユニットを固定する固定手段と、を備え、
前記固定手段は、
前記熱交換器の側面から前記熱交換器の前方に前記保持板から延設され、前記プラズマユニットの一方の前記突起部と係合する第１の保持部と、
前記第１の保持部に対向するように前記熱交換器の熱交換パイプに掛止される掛止部、及び前記プラズマユニットの他方の前記突起部と係合する第２の保持部を有するプラズマサポートと、から構成されている
ことを特徴とする空気調和機。
【請求項２】
前記本体の開口部に設けられたパネルと、
前記パネルの内側に設けられ前記固定手段の第２の保持部を押さえる押さえ手段を備えた
ことを特徴とする請求項１記載の空気調和機。
【請求項３】
前記プラズマユニットの前記両側面部に各々設けられた突起部及びバネ性を有する爪部と、
前記第１の保持部と第２の保持部に設けられ、前記突起部に各々係合する突起係合部及び爪部に各々係合する爪係合部と、を備えた
ことを特徴とする請求項１記載の空気調和機。
【発明の詳細な説明】
【技術分野】
【０００１】
この発明は、空気調和機に係り、特に、プラズマユニットの固定手段を改良した空気調和機に関する。
【背景技術】
【０００２】
従来の空気調和機のプラズマユニット固定手段は、ホルダーを熱交換器に直接取り付け、ホルダーにプラズマユニットを固定している（例えば、特許文献１参照）。
また、プラズマユニット固定手段をパネル状のフィルタ保持枠で構成し、フィルタ保持枠にプラズマユニットを固定している（例えば、特許文献２参照）。
【０００３】
【特許文献１】特開２００２−２７６９７１号公報（段落０００８〜００１０、図１、図３）
【特許文献２】特開平１１−９４２８９号公報（段落００２８〜００３８、図３〜５）
【発明の開示】
【発明が解決しようとする課題】
【０００４】
従来の空気調和機のプラズマユニット固定手段の取り付け構造では、ホルダーを直接熱交換器に取り付け、そのホルダーにプラズマユニットを取り付けていたため、熱交換器パイプの冷媒脈動音を受けてしまい、振動が発生してしまうという問題点があった。また、熱交換器パイプを爪で直接挟むように固定していたため、爪の掛かり代によっては、組立の際熱交換器パイプを傷つけたり、抜けてしまうという問題点があった。
また、プラズマユニット固定手段をパネル状のフィルタ保持枠で構成していたため、固定部の補強形状部が熱交換器を覆ってしまい、圧損が悪化してしまうという問題点があった。
また、プラズマユニット固定手段をパネル状のフィルタ保持枠で構成していたため、固定部の補強形状が熱交換器を覆ってしまい、清掃性が悪化してしまうという問題点があった。
【０００５】
この発明は、上記のような課題を解決するためになされたもので、第１の目的は、熱交換器パイプの冷媒脈動音を受けずに振動の発生がないプラズマユニットが取り付けできる固定手段を備えた空気調和機を得るものである。
また、第２の目的は、プラズマユニットを取り付ける際、熱交換器パイプを傷つけることがないようにプラズマユニットが取り付けできる固定手段を備えた空気調和機を得るものである。
また、第３の目的は、熱交換器の圧損を悪化させずにプラズマユニットが取り付けできる固定手段を有する空気調和機を得るものである。
また、第４の目的は、清掃性を悪化させずに、プラズマユニットが取り付けできる固定手段を備えた空気調和機を得るものである。
【課題を解決するための手段】
【０００６】
この発明に係る空気調和機は、本体内に設けられた保持板に保持される熱交換器と、両側面に突起部を有し、熱交換器の前面に配設されるプラズマユニットと、プラズマユニットを固定する固定手段と、を備え、固定手段は、熱交換器の側面から熱交換器の前方に保持板から延設され、プラズマユニットの一方の突起部と係合する第１の保持部と、第１の保持部に対向するように熱交換器の熱交換パイプに掛止される掛止部、及びプラズマユニットの他方の突起部と係合する第２の保持部を有するプラズマサポートと、から構成されている。
【発明の効果】
【０００７】
この発明によれば、熱交換器の側面から熱交換器の前方に保持板から延設され、プラズマユニットの一方の突起部と係合する第１の保持部と、第１の保持部に対向するように熱交換器の熱交換パイプに掛止される掛止部、及びプラズマユニットの他方の突起部と係合する第２の保持部を有するプラズマサポートと、を備えたので、熱交換器パイプの冷媒脈動音による振動が生じないようにプラズマユニットを固定することができる。
【発明を実施するための最良の形態】
【０００８】
実施の形態１．
図１はこの発明の実施の形態１における空気調和機の斜視図、図２は図１の要部拡大斜視図、図３はこの発明の実施の形態１における空気調和機の要部下面断面図、図４はこの発明の実施の形態１における空気調和機の要部側面図である。
図１〜４において、空気調和機は、本体１０と、プラズマユニット１の前面開口部に設けられたパネル４と、本体１０内に設けられた保持板２に保持された熱交換器５と、この熱交換器５の前面に配設されたプラズマユニット１と、保持板２から延設され、プラズマユニット１の一方の側面部を保持する第１の保持部２ａと、この第１の保持部である保持部２ａに対向して熱交換器５の熱交換器パイプ５ａ、５ｂに掛止され、プラズマユニット１の他方の側面部を保持する第２の保持部であるプラズマサポート３とを備えている。なお、固定手段は保持部２ａとプラズマサポート３から構成される。
【０００９】
また、図４に示すように、プラズマサポート３は、下部に、熱交換器パイプ５ａに掛止されるＬ字状爪１２、熱交換器パイプ５ｂに掛止されるＵ字状爪１３が設けられている。
また、プラズマユニット１の両側面には、図３に示すように突起部６ａ、６ｂが設けられ、突起部６ａに係合する保持部２ａの突起係合部２ｂ及び突起部６ｂに係合するプラズマサポート３の突起係合部３ａが設けられている。  
なお、プラズマユニット１は、図示してないが、プラズマを発生するプラズマ荷電部と脱臭フィルタから構成されている。
【００１０】
次に、プラズマユニット１の取り付けについて図３、図４により説明する。
まず、プラズマサポート３を熱交換器５に取り付けるが、プラズマサポート３のＬ字状掛止部１２を熱交換器パイプ５ａに掛止させ、次に、Ｕ字状掛止部１３を熱交換器パイプ５ａに掛止させる。
次に、プラズマユニット１をプラズマサポート３に取り付ける。プラズマユニット１の突起部６ａを保持部２ａの突起係合部２ｂ、そして、プラズマユニット１の突起部６ｂをプラズマサポート３の突起係合部３ａに左右同時に挿入し固定する。
【００１１】
以上のように、固定手段は、保持板２から延設され、プラズマユニット１の一方の側面部を保持する保持部２ａと、この保持部２ａに対向して熱交換器５の熱交換器パイプ５ａ、５ｂに掛止され、プラズマユニット１の他方の側面部を保持するプラズマサポート３とを備えたので、従来のように、熱交換器パイプを爪で直接挟むように固定せず、プラズマサポート３を熱交換器５の熱交換器パイプ５ａ、５ｂに各々Ｌ字状爪１２とＵ字状爪１３を引っ掛けて保持しているので、熱交換器パイプ５ａ、５ｂの冷媒脈動音による振動が生じないようにプラズマユニット１を固定することができる。        
【００１２】
また、組立の際、プラズマサポート３を熱交換器５の熱交換器パイプ５ａ、５ｂに各々Ｌ字状爪１２とＵ字状爪１３を引っ掛けて保持しているので、熱交換器パイプ５ａ、５ｂを傷つけることなくプラズマユニット１を取り付けることができる。
【００１３】
また、従来のように、プラズマユニット１の両側を保持する一対の固定手段が熱交換器を覆うことなく、片側の保持手段３のみが熱交換器を覆うので、熱交換器５の圧損を悪化させずにプラズマユニット１を組付けすることができ、また、熱交換器５の清掃性を悪化させずにプラズマユニット１を組付けすることができる。
【００１４】
実施の形態２．
実施の形態１では、プラズマサポート３を、プラズマユニット１熱交換器５を保持する保持板２から延出した保持部２ａと、それに対向して配された熱交換器パイプ５ａ、５ｂに掛止されたプラズマサポート３に固定したが、熱交換器パイプ５ａに掛止されたプラズマサポート３が衝撃によって外れてしまうことも考えられるので、本実施の形態はプラズマサポート３が衝撃によって外れないようにしたものである。
【００１５】
図５はこの発明の実施の形態２における空気調和機の要部側面図である。図５において、実施の形態１の図４と異なるのは、本体１０の開口部に設けられたパネル４の内側のプラズマサポート３に対向する位置に、プラズマサポート３の前面の外形形状に沿った形状を有する押さえ手段であるリブ４ａを設け、このリブ４ａにより第２の保持部を押さえるようにした点であり、その他は同じであり説明を省略する。
【００１６】
このように、本体１０の開口部に設けられたパネル４と、パネル４の内側に設けられ固定手段の第２の保持部３を押さえるリブ４ａを備えたので、熱交換器パイプ５ａに掛止されたプラズマサポート３が衝撃によって外れてしまうことを防ぐことができる。
【００１７】
実施の形態３．
空気調和機に、プラズマユニット１を備えたものでは、一般に、プラズマユニット１に高電圧を供給する高圧電源供給手段とプラズマユニット１と高圧電源ユニットとがコネクタにより挿脱自在に接続されており、高圧電源供給手段には、プラズマユニット１をプラズマサポートから取り外した時、プラズマユニット１に供給する高電圧回路をＯＦＦし、装着した時ＯＮとする安全装置のスイッチがプラズマサポート３に設けられている。
そして、プラズマユニット１をプラズマサポート３に取り付けるときに、スイッチがＯＮとなり、プラズマユニット１に高圧電源供給手段から高電圧が供給可能となるが、プラズマユニット１が中途半端に取り付けられたときは、スイッチがＯＮとならず、高電圧が供給されない場合が考えられる。
本実施の形態は、安全装置のスイッチが正常に作動するように、プラズマユニット１のプラズマサポート３への着脱が確実に行えるようにしたものである。
【００１８】
図６はこの発明の実施の形態３における空気調和機のプラズマユニットの部分斜視図、図７は保持部の斜視図、図８はプラズマサポートの斜視図、図９はプラズマユニット１をプラズマユニット１に取り付けたときの側面図である。
図６〜９において実施の形態１の図３、図４と同一または相当部分には同一の符号を付し説明を省略する。                                              
図６において、プラズマユニット１の両側部に突起部６ａ、６ｂ及びバネ性を有する爪部７ａ、７ｂが各々設けられている。図７において、保持部２ａには、プラズマユニット１の突起部６ａが係合する突起係合部２ｂと、爪部７ａが係合する爪係合部２ｄと、ガイド部２ｃが設けられている。図８において、プラズマサポート３には、プラズマユニット１の突起部６ｂが係合する突起係合部３ａと、爪部７ｂが係合する爪係合部３ｃと、ガイド部３ｂが設けられている。
【００１９】
次に、プラズマユニット１のプラズマサポート３への取り付け、取り外しについて図６〜９により説明する。
まず、プラズマユニット１のプラズマサポート３への取り付けは、プラズマユニット１の突起部６ａを保持部２ａの突起係合部２ｂに、プラズマユニット１の突起部６ｂをプラズマサポート３の突起係合部３ａに向けてガイド部２ｃ、３ｂに各々沿わせながら挿入し、プラズマユニット１の爪部７ａを保持部２ａの爪係合部２ｄに、プラズマユニット１の爪部７ｂをプラズマサポート３の爪係合部３ｃに各々に接触させ押し込むと、爪部７ａ、７ｂは爪係合部２ｄ、３ｃに各々接触すると内側に撓み、爪部７ａ、７ｂが爪係合部２ｄ、３ｃに嵌り込み固定される。
このとき、安全装置のスイッチがＯＮとなり、プラズマユニット１に高圧電源供給手段から高電圧が供給可能となる。
【００２０】
プラズマユニット１をプラズマサポート３から取り外すときは、プラズマユニット１の爪部７ａ、７ｂ側を上方に持ち上げると、爪部７ａ、７ｂが内側に撓み、爪係合部２ｄ、３ｃから外れ、プラズマユニット１が取り外しが完了する。そして、安全装置のスイッチがＯＦＦとなり、プラズマユニット１に高圧電源供給手段からの高電圧が供給停止される。
【００２１】
以上のように、プラズマユニット１の両側面部に各々設けられた突起部６ａ、６ｂ及びバネ性を有する爪部７ａ、７ｂと、保持部２ａとプラズマサポート３に設けられ、突起部６ａ、６ｂに各々係合する突起係合部２ｂ、３ａ及び爪部７ａ、７ｂに各々係合する爪係合部２ｄ、３ｃとを備えたので、プラズマユニット１の着脱状態が中途半端に固定されることがないため、プラズマユニット１が装着された状態では、安全装置のスイッチが必ずＯＮとなり、高圧電源供給手段から高電圧を供給することができる。
【図面の簡単な説明】
【００２２】
【図１】この発明の実施の形態１における空気調和機の全体を示す斜視図である。
【図２】図１の要部拡大斜視図である。
【図３】この発明の実施の形態１における空気調和機の要部下面断面図である。
【図４】この発明の実施の形態１における空気調和機の要部側面図である。
【図５】この発明の実施の形態２における空気調和機の要部側面図である。
【図６】この発明の実施の形態３における空気調和機のプラズマユニットの部分斜視図である。
【図７】この発明の実施の形態３における空気調和機の保持部の斜視図である。
【図８】この発明の実施の形態３における空気調和機のプラズマサポートの斜視図である。
【図９】この発明の実施の形態３における空気調和機のプラズマユニットをプラズマユニットに取り付けたときの側面図である。
【符号の説明】
【００２３】
１  プラズマユニット、２  保持板、２ａ  保持部、２ｂ、３ａ  突起係合部、２ｄ  爪係合部、３  プラズマサポート、１３  Ｕ字状掛止部、３ｃ  爪係合部、１２  Ｌ字状掛止部、４  パネル、４ａ  リブ、５  熱交換器 、５ａ、５ｂ  熱交換器パイプ、６ａ、６ｂ  突起部、７ａ、７ｂ  爪部、１０本体。
【図１】
0004527659.tif 000002
【図２】
0004527659.tif 000003
【図３】
0004527659.tif 000004
【図４】
0004527659.tif 000005
【図５】
0004527659.tif 000006
【図６】
0004527659.tif 000007
【図７】
0004527659.tif 000008
【図８】
0004527659.tif 000009
【図９】
0004527659.tif 000010